(57)【要約】【課題】組立時に液晶表示素子の複数のリード端子を基板の接続穴に容易に挿入できる表示ユニットを提供する。【解決手段】対向する２つの面が開口した箱形のホルダ１３と、ホルダ１３の第１の開口側に保持される液晶表示素子１２と、ホルダ１３の第２の開口側に取り付けられたプリント配線基板１５と、プリント配線基板１５に取り付けられ、ホルダ１３の内側空間を介して液晶表示素子１２に裏面側から光を当てるバックライト基板１６とを備える。液晶表示素子１２は、ホルダ１３の１つの外壁面５０に沿って液晶表示素子１２側からプリント配線基板１５側に向かって延び、プリント配線基板１５に接続された互いに略平行な複数のリード端子１４を有する。ホルダ１３の第２の開口側に設けられた複数の脚部のうち、外壁面５０と隣り合う脚部１３aは、外壁面５０の延長面に対して予め設定された間隔をあけて配置されている。【選択図】図３
2013145332.tif 000002
【特許請求の範囲】
【請求項１】
対向する２つの面が開口した箱形のホルダと、
上記ホルダの第１の開口側に保持される液晶表示素子と、
上記液晶表示素子が保持された上記ホルダの第２の開口側に取り付けられた基板と、
上記基板に取り付けられ、上記ホルダの内側空間を介して上記液晶表示素子に裏面側から光を当てるバックライト基板と
を備え、
上記液晶表示素子は、上記ホルダの１つの外壁面に沿って上記液晶表示素子側から上記基板側に向かって延び、上記基板に接続された互いに略平行な複数のリード端子を有し、
上記ホルダは、上記第２の開口側に設けられた複数の脚部を有し、
上記複数の脚部のうちの上記ホルダの上記外壁面と隣り合う脚部は、上記外壁面の延長面に対して予め設定された間隔をあけて配置されていることを特徴とする表示ユニット。
【請求項２】
請求項１に記載の表示ユニットにおいて、
上記バックライト基板に、上記液晶表示素子の上記複数のリード端子を案内する案内穴または案内スリットを設けたことを特徴とする表示ユニット。
【請求項３】
請求項１または２に記載の表示ユニットにおいて、
上記基板は、上記液晶表示素子の上記複数のリード端子を接続するための複数の接続穴と、上記複数の接続穴に上記複数のリード端子を案内するための案内スリットとを有することを特徴とする表示ユニット。
【請求項４】
請求項３に記載の表示ユニットにおいて、
上記案内スリットは、上記複数の接続穴の列に対して略平行に間隔をあけて設けられた主スリットと、上記主スリットから上記複数の接続穴の夫々に連なるように設けられた複数の副スリットとを有することを特徴とする表示ユニット。
【請求項５】
請求項１または２に記載の表示ユニットにおいて、
上記基板は、上記液晶表示素子の上記複数のリード端子を接続するための複数の接続穴を有し、
上記基板の上記複数の接続穴の夫々に、上記接続穴の外側に斜め上方から上記接続穴に向かって傾斜する傾斜面を有する凹部を設けたことを特徴とする表示ユニット。
【請求項６】
対向する２つの面が開口した箱形のホルダと、
上記ホルダの第１の開口側に保持される液晶表示素子と、
上記液晶表示素子が保持された上記ホルダの第２の開口側に取り付けられた基板と、
上記基板に取り付けられ、上記ホルダの内側空間を介して上記液晶表示素子に裏面側から光を当てるバックライト基板と
を備え、
上記液晶表示素子は、上記ホルダの１つの外壁面に沿って上記液晶表示素子側から上記基板側に向かって延び、上記基板に接続された互いに略平行な複数のリード端子を有し、
上記バックライト基板に、上記液晶表示素子の上記複数のリード端子を案内する案内穴または案内スリットを設けたことを特徴とする表示ユニット。
【請求項７】
請求項１から６のいずれか１つに記載の表示ユニットを備えたことを特徴とする加熱調理器。
【発明の詳細な説明】
【技術分野】
【０００１】
この発明は、表示ユニットおよびそれを用いた加熱調理器に関する。
【背景技術】
【０００２】
従来、表示ユニットとしては、液晶表示素子を基板に取り付けるためのホルダを用いたものがある(例えば、特開２００１−６６５７８号公報(特許文献１)参照)。上記表示ユニットでは、液晶表示素子の複数のリード端子がホルダの一側面に沿って略平行に配列されており、その複数のリード端子をホルダの側面に設けたガイド穴に夫々通して位置決めした状態で、基板の接続穴に挿入している。
【０００３】
上記表示ユニットにおいて、バックライト基板との間に高価な拡散板を用いない場合、バックライト基板に間隔をあけて実装されたＬＥＤからの照光をムラなく拡散させるため、液晶表示素子とバックライト基板との距離を十分に広げる必要があり、必然的にリード端子が長くなる。このような表示ユニットでは、液晶表示素子の複数のリード端子が長くなるほど、組立時に基板の接続穴に入れ難くなるという問題がある。
【先行技術文献】
【特許文献】
【０００４】
【特許文献１】特開２００１−６６５７８号公報
【発明の概要】
【発明が解決しようとする課題】
【０００５】
そこで、この発明の課題は、組立時に液晶表示素子の複数のリード端子を基板の接続穴に容易に挿入できる表示ユニットおよびそれを用いた加熱調理器を提供することにある。
【課題を解決するための手段】
【０００６】
上記課題を解決するため、この発明の表示ユニットは、
対向する２つの面が開口した箱形のホルダと、
上記ホルダの第１の開口側に保持される液晶表示素子と、
上記液晶表示素子が保持された上記ホルダの第２の開口側に取り付けられた基板と、
上記基板に取り付けられ、上記ホルダの内側空間を介して上記液晶表示素子に裏面側から光を当てるバックライト基板と
を備え、
上記液晶表示素子は、上記ホルダの１つの外壁面に沿って上記液晶表示素子側から上記基板側に向かって延び、上記基板に接続された互いに略平行な複数のリード端子を有し、
上記ホルダは、上記第２の開口側に設けられた複数の脚部を有し、
上記複数の脚部のうちの上記ホルダの上記外壁面と隣り合う脚部は、上記外壁面の延長面に対して予め設定された間隔をあけて配置されていることを特徴とする。
【０００７】
上記構成によれば、ホルダの第２の開口側に設けられた複数の脚部のうち、ホルダの外壁面と隣り合う脚部は、上記外壁面の延長面に対して予め設定された間隔をあけて配置されているので、上記外壁面に接して脚部が設けられたものに比べて、液晶表示素子の複数のリード端子を基板の接続穴に挿入するときにホルダ本体が基板に当たって邪魔になるということがない。したがって、液晶表示素子の複数のリード端子が長くて揃えにくくても、組立時に液晶表示素子の複数のリード端子を基板の接続穴に容易に挿入できる。
【０００８】
また、一実施形態の表示ユニットでは、
上記バックライト基板に、上記液晶表示素子の上記複数のリード端子を案内する案内穴または案内スリットを設けた。
【０００９】
上記実施形態によれば、バックライト基板に設けられた案内穴または案内スリットにより、液晶表示素子の複数のリード端子を案内することによって、複数のリード端子を揃えることができ、組立時に液晶表示素子の複数のリード端子を基板の接続穴に挿入することがより容易になる。
【００１０】
また、一実施形態の表示ユニットでは、
上記基板は、上記液晶表示素子の上記複数のリード端子を接続するための複数の接続穴と、上記複数の接続穴に上記複数のリード端子を案内するための案内スリットとを有する。
【００１１】
上記実施形態によれば、基板の複数の接続穴に液晶表示素子の複数のリード端子を夫々接続するとき、基板の案内スリットにより複数の接続穴に複数のリード端子を案内することによって、組立時に液晶表示素子の複数のリード端子を基板の接続穴に挿入することがさらに容易になる。
【００１２】
また、一実施形態の表示ユニットでは、
上記案内スリットは、上記複数の接続穴の列に対して略平行に間隔をあけて設けられた主スリットと、上記主スリットから上記複数の接続穴の夫々に連なるように設けられた複数の副スリットとを有する。
【００１３】
上記実施形態によれば、基板の複数の接続穴に液晶表示素子の複数のリード端子を夫々接続するとき、基板の案内スリットの主スリットにまず複数のリード端子を挿入し、その主スリットに連なる複数の副スリットにより複数のリード端子を複数の接続穴に案内することによって、組立時に液晶表示素子の複数のリード端子の挿入作業がより容易になる。
【００１４】
また、一実施形態の表示ユニットでは、
上記基板は、上記液晶表示素子の上記複数のリード端子を接続するための複数の接続穴を有し、
上記基板の上記複数の接続穴の夫々に、上記接続穴の外側に斜め上方から上記接続穴に向かって傾斜する傾斜面を有する凹部を設けた。
【００１５】
上記実施形態によれば、基板の複数の接続穴に液晶表示素子の複数のリード端子を夫々接続するとき、基板の上記複数の接続穴の夫々に設けた凹部の傾斜面に沿って複数のリード端子を案内することによって、組立時に液晶表示素子の複数のリード端子の挿入作業がより容易になる。
【００１６】
また、この発明の表示ユニットでは、
対向する２つの面が開口した箱形のホルダと、
上記ホルダの第１の開口側に保持される液晶表示素子と、
上記液晶表示素子が保持された上記ホルダの第２の開口側に取り付けられた基板と、
上記基板に取り付けられ、上記ホルダの内側空間を介して上記液晶表示素子に裏面側から光を当てるバックライト基板と
を備え、
上記液晶表示素子は、上記ホルダの１つの外壁面に沿って上記液晶表示素子側から上記基板側に向かって延び、上記基板に接続された互いに略平行な複数のリード端子を有し、
上記バックライト基板に、上記液晶表示素子の上記複数のリード端子を案内する案内穴または案内スリットを設けたことを特徴とする。
【００１７】
上記構成によれば、バックライト基板に設けられた案内穴または案内スリットにより、液晶表示素子の複数のリード端子を案内することによって、複数のリード端子を揃えることができ、組立時に液晶表示素子の複数のリード端子を基板の接続穴に容易に挿入できる。
【００１８】
また、加熱調理器では、
上記のいずれか１つの表示ユニットを備えたことを特徴とする。
【００１９】
上記構成によれば、上記表示ユニットを備えることによって、低コストで表示ムラのない表示ユニットを備えた加熱調理器を実現することができる。
【発明の効果】
【００２０】
以上より明らかなように、この発明の表示ユニットによれば、組立時に液晶表示素子の複数のリード端子を基板の接続穴に容易に挿入できる表示ユニットを実現することができる。
【００２１】
また、この発明の加熱調理器によれば、低コストで表示ムラのない表示ユニットを備えた加熱調理器を実現することができる。
【図面の簡単な説明】
【００２２】
【図１】図１はこの発明の第１実施形態の表示ユニットを備えた加熱調理器を前面側から見た正面図である。
【図２】図２は液晶表示素子が保持されたホルダの裏面図である。
【図３】図３は液晶表示素子が保持されたホルダの側面図である。
【図４】図４は上記液晶表示素子が保持されたホルダをプリント配線基板に実装するときの手順を説明する模式図である。
【図５】図５はプリント配線基板の正面図である。
【図６】図６は比較例のプリント配線基板とバックライト基板の正面図である。
【図７】図７は他の実施の形態の液晶表示素子が保持されたホルダをプリント配線基板に実装するときの手順を説明する模式図である。
【図８】図８はこの発明の第２実施形態の表示ユニットのプリント配線基板とバックライト基板の正面図である。
【図９】図９はこの発明の第３実施形態の表示ユニットのプリント配線基板の正面模式図である。
【図１０】図１０はこの発明の第４実施形態の表示ユニットのプリント配線基板の正面図である。
【図１１】図１１は図１０のXI−XI線から見た断面図である。
【図１２】図１２は液晶表示素子が保持されたホルダをプリント配線基板に実装するときの模式図である。
【発明を実施するための形態】
【００２３】
以下、この発明の表示ユニットおよび加熱調理器を図示の実施の形態により詳細に説明する。
【００２４】
〔第１実施形態〕
図１はこの発明の第１実施形態の表示ユニットを備えた加熱調理器を前面側から見た正面図を示している。
【００２５】
この加熱調理器は、図１に示すように、直方体形状の本体ケーシング１と、本体ケーシング１内に設けられた加熱室２と、本体ケーシング１の前面側に回動自在に取り付けられた扉３とを備えている。上記扉３は、下端部を中心に回動し、加熱室２の開口部を開閉する。
【００２６】
上記本体ケーシング１の前面の右側には操作パネル４を設けている。この操作パネル４は、上側の液晶表示部１１と下側の操作ボタン群とを有している。この液晶表示部１１を備えた表示ユニット１０が本体ケーシング１内に取り付けられている。
【００２７】
図２は図１に示す液晶表示部１１を有する液晶表示素子１２が保持されたホルダ１３の裏面図を示し、図３は液晶表示素子１２が保持されたホルダ１３の側面図を示している。図３において、１５はプリント配線基板である。
【００２８】
図２,図３に示すように、対向する２つの面が開口したホルダ１３の第１の開口側(図３の上側)に液晶表示素子１２が保持される。この液晶表示素子１２は、ホルダ１３の１つの外壁面５０に沿って液晶表示素子１２側からプリント配線基板１５側に向かって延び、プリント配線基板１５に接続された互いに略平行な複数のリード端子１４を有している。
【００２９】
上記ホルダ１３の１つの外壁面５０の下側に切り欠き４０を設けている。また、ホルダ１３は、第２の開口側に４つの脚部１３a,１３b,１３c,１３dを設けている。なお、脚部は、３または５以上であってもよい。
【００３０】
上記脚部１３a,１３b,１３c,１３dのうちのホルダ１３の外壁面５０と隣り合う脚部１３a,１３cは、上記外壁面５０の延長面に対して予め設定された間隔をあけて配置されている。
【００３１】
液晶表示素子１２が保持されたホルダ１３の第２の開口側(図３の下側)にプリント配線基板１５に取り付けている。また、ホルダ１３の内側空間を介して液晶表示素子１２に裏面側から光を当てるバックライト基板１６をプリント配線基板１５上に取り付けている。このバックライト基板１６は、複数のＬＥＤ(Light Emitting Diode：発光ダイオード)がプリント配線基板に実装されたものでもよいし、他の発光素子がプリント配線基板に実装されたものでもよい。
【００３２】
図４(a)〜(c)は上記液晶表示素子１２が保持されたホルダ１３をプリント配線基板１５に実装するときの手順を説明する模式図を示している。図４(a)〜(c)では、バックライト基板１６を省略している。
【００３３】
まず、図４(a)において、液晶表示素子１２が保持されたホルダ１３をプリント配線基板１５の実装面に対して複数のリード端子１４側を傾けて、液晶表示素子１２の複数のリード端子１４をプリント配線基板１５に設けられた接続穴２０に斜め上方から挿入する。
【００３４】
次に、図４(b)に示すように、液晶表示素子１２が保持されたホルダ１３の傾きを戻して、図４(c)に示すように、ホルダ１３をプリント配線基板１５上に実装する。この状態で、ホルダ１３は、図示しない係合爪などによりプリント配線基板１５に固定される。
【００３５】
上記プリント配線基板１５の裏面には、接続穴２０を囲うランドが形成されており、液晶表示素子１２の複数のリード端子１４をプリント配線基板１５の接続穴２０のランドにハンダ付けする。
【００３６】
図４(a),(b)の状態では、ホルダ１３本体がプリント配線基板１５に干渉することなく、液晶表示素子１２の複数のリード端子１４を接続穴２０に容易に挿入できる。
【００３７】
また、上記プリント配線基板１５は、図５に示すように、複数の接続穴２０が１列に並んで設けられている。
【００３８】
また、図６に示すように、バックライト基板１５がホルダ１３の外形の内側に配置されるように、バックライト基板１６がプリント配線基板１５に取り付けられている。
【００３９】
図７(a),(b)は他の実施の形態のホルダ１１３をプリント配線基板１５に実装するときの手順を説明する模式図を示している。この図７(a),(b)に示すホルダ１１３は、切り欠き４０がない点および脚部の位置が異なる点を除して図２,図３,図４(a)〜(c)に示すホルダ１３と同一の構成をしている。図７(a),(b)では、バックライト基板を省略している。
【００４０】
まず、図７(a)において、液晶表示素子１１２が保持されたホルダ１１３をプリント配線基板１１５の実装面に対して複数のリード端子１１４側を少し傾けて、液晶表示素子１１２の複数のリード端子１１４をプリント配線基板１１５に設けられた接続穴１２０に斜め上方から挿入する。
【００４１】
次に、図７(b)に示すように、液晶表示素子１２が保持されたホルダ１３の傾きを戻して、液晶表示素子１２が保持されたホルダ１３をプリント配線基板１５上に実装する。
【００４２】
図７(a)の状態では、ホルダ１１３本体がプリント配線基板１１５に干渉することなく、液晶表示素子１１２の複数のリード端子１１４を接続穴１２０に容易に挿入できる。
【００４３】
上記構成の表示ユニットによれば、ホルダ１３の第２の開口側に設けられた脚部１３a,１３b,１３c,１３dのうち、ホルダ１３の外壁面５０と隣り合う脚部１３a,１３cは、外壁面５０の延長面に対して予め設定された間隔をあけて配置されているので、外壁面５０に接して脚部が設けられたものに比べて、液晶表示素子１２の複数のリード端子１４をプリント配線基板１５の接続穴２０に挿入するときにホルダ１３本体がプリント配線基板１５に当たって邪魔になるということがない。したがって、液晶表示素子１２の複数のリード端子１４が長くて揃えにくくても、組立時に液晶表示素子１２の複数のリード端子１４をプリント配線基板１５の接続穴２０に容易に挿入できる。
【００４４】
また、上記実施の形態の加熱調理器によれば、表示ユニットを備えることによって、低コストで表示ムラのない表示ユニットを備えた加熱調理器を実現することができる。
【００４５】
〔第２実施形態〕
図８はこの発明の第２実施形態の表示ユニットのプリント配線基板とバックライト基板の正面図を示している。この第２実施形態の表示ユニットは、バックライト基板を除いて第１実施形態の表示ユニットと同一の構成をしており、同一構成部は同一参照番号を付している。
【００４６】
図８に示すように、バックライト基板１１６には、プリント配線基板１５の接続穴２０に対応する位置に、図２,図３に示す液晶表示素子１２の複数のリード端子１４を案内する案内スリット１１７を設けている。
【００４７】
上記バックライト基板１１６に設けられた案内スリット１１７により、液晶表示素子１２の複数のリード端子１４を案内することによって、複数のリード端子１４を揃えることができ、組立時に液晶表示素子１２の複数のリード端子１４をプリント配線基板１５の接続穴２０により容易に挿入できる。なお、バックライト基板１１６に設けられた案内スリット１１７の代わりに、液晶表示素子１２の複数のリード端子１４を案内する案内穴を設けてもよい。
【００４８】
上記第２実施形態の表示ユニットは、第１実施形態の表示ユニットと同様の効果を有する。
【００４９】
〔第３実施形態〕
図９はこの発明の第３実施形態の表示ユニットのプリント配線基板の正面模式図を示している。この第３実施形態の表示ユニットは、プリント配線基板を除いて第１実施形態の表示ユニットと同一の構成をしており、同一構成部は同一参照番号を付している。
【００５０】
上記表示ユニットは、図９に示すように、プリント配線基板２１５に案内スリット２３０を設けている。この案内スリット２３０は、複数の接続穴２２０の列に対して略平行に間隔をあけて設けられた主スリット２３０aと、その主スリット２３０aから複数の接続穴２２０の夫々に連なるように設けられた複数の副スリット２３０bとを有する。
【００５１】
上記プリント配線基板２１５の複数の接続穴２２０に、図２,図３に示す液晶表示素子１２の複数のリード端子１４を夫々接続するとき、プリント配線基板２１５の案内スリット２３０により複数の接続穴２２０に複数のリード端子１４を案内することによって、組立時に液晶表示素子１２の複数のリード端子１４をプリント配線基板２１５の接続穴２２０にさらに容易に挿入できる。
【００５２】
また、上記プリント配線基板２１５の案内スリット２３０の主スリット２３０aにまず複数のリード端子１４を挿入し、その主スリット２３０aに連なる複数の副スリット２３０bにより複数のリード端子１４を複数の接続穴２２０に案内することによって、組立時に液晶表示素子１２の複数のリード端子１４の挿入作業が容易になる。
【００５３】
上記第３実施形態の表示ユニットは、第１実施形態の表示ユニットと同様の効果を有する。
【００５４】
〔第４実施形態〕
図１０はこの発明の第４実施形態の表示ユニットのプリント配線基板の正面模式図を示し、図１１は図１０のXI−XI線から見た断面図を示し、図１２は液晶表示素子が保持されたホルダをプリント配線基板に実装するときの模式図を示している。この第４実施形態の表示ユニットは、プリント配線基板を除いて第１実施形態の表示ユニットと同一の構成をしており、同一構成部は同一参照番号を付している。
【００５５】
図１０,図１１に示すように、プリント配線基板３１５の複数の接続穴３２０の夫々に、接続穴３２０の外側に斜め上方から接続穴３２０に向かって傾斜する傾斜面を有する凹部３２１を設けている。
【００５６】
このようなプリント配線基板３１５の複数の接続穴３２０に、図２,図３に示す液晶表示素子１２の複数のリード端子１４を夫々接続するとき、図１２に示すように、プリント配線基板３１５の複数の接続穴３２０の夫々に設けた凹部３２１の傾斜面に沿って複数のリード端子１４を案内することによって、組立時に液晶表示素子１２の複数のリード端子の挿入作業が容易になる。
【００５７】
上記第４実施形態の表示ユニットは、第１実施形態の表示ユニットと同様の効果を有する。
【００５８】
上記第１〜第４実施形態では、表示ユニットを備えた加熱調理器について説明したが、これに限らず、この発明の表示ユニットを備えた他の電気機器でもよい。
【００５９】
なお、この発明の表示ユニットは、
対向する２つの面が開口した箱形のホルダと、
上記ホルダの第１の開口側に保持される液晶表示素子と、
上記液晶表示素子が保持された上記ホルダの第２の開口側が取り付けられた基板と、
上記基板上に取り付けられ、上記ホルダの内側空間を介して上記液晶表示素子に裏面側から光を当てるバックライト基板と
を備え、
上記液晶表示素子は、上記ホルダの上記４つの側壁部のうちの１つの外壁面に沿って上記液晶表示素子側から上記基板側に向かって延び、上記基板に接続される互いに略平行な複数のリード端子を有し、
上記バックライト基板に、上記液晶表示素子の上記複数のリード端子を案内する案内穴または案内スリットを設けたことを特徴とするものでもよい。
【００６０】
この場合、バックライト基板に設けられた案内穴または案内スリットにより、液晶表示素子の複数のリード端子を案内することによって、複数のリード端子を揃えることができ、組立時に液晶表示素子の複数のリード端子を基板の接続穴に容易に挿入できる。
【００６１】
この発明の具体的な実施の形態について説明したが、この発明は上記第１〜第４実施形態に限定されるものではなく、この発明の範囲内で種々変更して実施することができる。
【符号の説明】
【００６２】
１…本体ケーシング
２…加熱室
３…扉
４…操作パネル
１０…表示ユニット
１１…液晶表示部
１２,１１２…液晶表示素子
１３,１１３…ホルダ
１３a,１３b,１３c,１３d…脚部
１４…リード端子
１５,２１５,３１５…プリント配線基板
１６,１１６…バックライト基板
２０,２２０,３２０…接続穴
４０…切り欠き
５０…外壁面
１１７…案内スリット
３２１…凹部
２３０…案内スリット
２３０a…主スリット
２３０b…副スリット
【図１】
2013145332.tif 000003
【図２】
2013145332.tif 000004
【図３】
2013145332.tif 000005
【図４】
2013145332.tif 000006
【図５】
2013145332.tif 000007
【図６】
2013145332.tif 000008
【図７】
2013145332.tif 000009
【図８】
2013145332.tif 000010
【図９】
2013145332.tif 000011
【図１０】
2013145332.tif 000012
【図１１】
2013145332.tif 000013
【図１２】
2013145332.tif 000014